【手続補正書】
【提出日】平成20年5月14日(2008.5.14)
【手続補正１】
【補正対象書類名】明細書
【補正対象項目名】発明の名称
【補正方法】変更
【補正の内容】
【発明の名称】温熱又は冷却座布団
【手続補正２】
【補正対象書類名】明細書
【補正対象項目名】特許請求の範囲
【補正方法】変更
【補正の内容】
【特許請求の範囲】
【請求項１】 水及び吸水性ポリマーを必須構成成分とする含水ゲルを袋体に封入してなる温熱発生又は冷却体が、保温カバー体内に着脱自在に収納されてなることを特徴とする温熱又は冷却座布団。
【請求項２】 水分含有量が含水ゲル全体の５０〜９５重量％である請求項１に記載の温熱又は冷却座布団。
【請求項３】 袋体には、その適宜箇所を接合して含水ゲルの移動、偏りを抑制する接合部が形成されている請求項１又は２に記載の温熱又は冷却座布団。
【請求項４】 温熱発生又は冷却体が安全カバー体で包被されている請求項１ないし３のいずれか１項に記載の温熱又は冷却座布団。
【請求項５】トルマリンが袋体、安全カバー体又は保温カバー体から選ばれた少なくとも１種に配合或いは担持されている請求項１ないし４のいずれか１項に記載の温熱又は冷却座布団。
【請求項６】 遠赤外線放射機能及び／又は温熱発生又は冷却体の保型機能を有する機能性物質が、含水ゲル、袋体、安全カバー体又は保温カバー体から選ばれた少なくとも１種に配合或いは担持されている請求項１ないし５のいずれか１項に記載の温熱又は冷却座布団。
【請求項７】 機能性物質が、カオリン、ベンナイト、パーミキュライト、シリカ粉、クレー、パーライト、ゼオライト、亜鉛華、酸化チタン、タルク、塩化アルミニウム、硫酸アルミニウム、硝酸アルミニウム、水酸化アルミニウム、カリミョーバン、球状セルロース、ポリブテン、ポリイソブチレン、アセトアルデヒド、グルタルアルデヒド、グリオキザール、ジアルデヒドデンプン又はジメチルケトンから選ばれた少なくとも１種以上である請求項６に記載の温熱又は冷却座布団。
【請求項８】 機能性物質が、機能性セラミックである請求項６に記載の温熱又は冷却座布団。
【請求項９】 機能性セラミックが、金属の酸化物、炭化物、窒化物又は炭酸塩から選ばれた少なくとも１種以上である請求項８に記載の温熱又は冷却座布団。
【請求項１０】 金属が、Ａｌ、Ｂｅ、Ｖ、Ｆｅ、Ｙ、Ｃｏ、Ｃｕ、Ｎｉ、Ｓｉ、Ｓｎ、Ｔｉ、Ｃｒ、Ｃｅ、Ｚｒ、Ｃａ、Ｔａ又はＮｂから選ばれた少なくとも１種以上である請求項９に記載の温熱又は冷却座布団。
【請求項１１】 機能性物質が、おがくず、もみがら、そばがら、椰子殻、鋸屑、木材チップ、お茶がら、コーヒー焙煎抽出カス又はこれらを炭化処理或いは活性炭化処理したものから選ばれた少なくとも１以上である請求項５に記載の温熱又は冷却座布団。
【請求項１２】 含水ゲル１００重量部に対して、機能性物質が１〜７０重量部の割合で、当該含水ゲル中に配合され或いは袋体、安全カバー体又は保温カバー体から選ばれた少なくとも１種に担持されている請求項６ないし１１のいずれか１項に記載の温熱又は冷却座布団。
【請求項１３】 保温カバー体内には、複数の温熱発生又は冷却体が封入されてなる請求項１ないし１２のいずれか１項に記載の温熱又は冷却座布団。
【請求項１４】 保温カバー体内には、温熱発生又は冷却体と共にクッション材が挿入されてなる請求項１ないし１３のいずれか１項に記載の温熱又は冷却座布団。
【請求項１５】 クッション材が保温カバー体に挿脱自在に収納し得るように構成されている請求項１ないし１４のいずれか１項に記載の温熱又は冷却座布団。
【請求項１６】 袋体の表面には、織布及び／又は不織布が積層されてなる請求項１ないし１５のいずれか１項に記載の温熱又は冷却座布団。
【手続補正３】
【補正対象書類名】明細書
【補正対象項目名】００１０
【補正方法】変更
【補正の内容】
【００１０】
即ち、前記温熱座布団における水及び吸水性ポリマーを必須構成成分とする含水ゲルを袋体に封入してなる温熱発生体は、柔軟で適度なクッション性があるばかりか、電子レンジでの加熱時間を調節するだけで所望の温熱を好適に発生することができるのであり、従って、この温熱発生体を保温カバー体に収納してなる温熱座布団は、冬期の使用においても温かく、取り扱い性が簡便で、しかも使用感が良好になるとの知見を得た。
【手続補正４】
【補正対象書類名】明細書
【補正対象項目名】００１４
【補正方法】変更
【補正の内容】
【００１４】
【課題を解決するための手段】この目的を達成するために、本発明の温熱又は冷却座布団は、水及び吸水性ポリマーを必須構成成分とする含水ゲルを袋体に封入してなる温熱発生又は冷却体が、保温カバー体内に着脱自在に収納されてなることを特徴とするものである。
【手続補正５】
【補正対象書類名】明細書
【補正対象項目名】００１５
【補正方法】変更
【補正の内容】
【００１５】
即ち、本発明に係る温熱又は冷却座布団は、温熱発生又は冷却体として、水及び吸水性ポリマーを必須構成成分とする含水ゲルを袋体に封入したものを用い、しかもこの温熱発生又は冷却体を保温カバー体内に着脱自在に収納されてなる点に最も大きな特徴を有するものである。以下、本発明を更に詳細に説明する。
【手続補正６】
【補正対象書類名】明細書
【補正対象項目名】００２１
【補正方法】変更
【補正の内容】
【００２１】
そして、本発明で用いられる温熱発生又は冷却体は、前記含水ゲルを袋体に封入してなるものであるが、この袋体を形成するフィルム・シート材料としては、柔軟且つ丈夫で、使用中に、破損しない上、含水ゲルが漏れないものであれば特に制限されるものではないが、具体的には、以前から気密性の包材に用いられている公知の高分子材料を好適に用いることができるのであり、例えばポリエチレン、ポリプロピレン、ポリアミド（ナイロン）、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等が挙げられる。
【手続補正７】
【補正対象書類名】明細書
【補正対象項目名】００２３
【補正方法】変更
【補正の内容】
【００２３】
なお、前記袋体の形状としては特に限定されるものではなく、最終的に温熱又は冷却座布団として製品となった場合に、使用者に極端な違和感を与えないものであれば特に制限されるものではないが、一般的には正方形や略正方形のものが好ましく、その他長方形、略長方形、楕円形、略楕円形、円形、略円形或いはドーナツ型等、種々の形状のものが挙げられる。
【手続補正８】
【補正対象書類名】明細書
【補正対象項目名】００２５
【補正方法】変更
【補正の内容】
【００２５】
即ち、本発明で用いられる袋体は、主として前記したフィルム・シート材料を２枚用いて、この外縁部を熱融着或いは接着して袋体に形成したものであるが、本発明においては、外縁部以外にこの袋体において、その適宜箇所を接合するように熱融着処理したり、熱接着処理したりして、封入した含水ゲルの移動や偏りを一層制御したり、温熱発生又は冷却体にいわゆる「くぼみ」を設けて使用感やフィット感などを更に向上させることが好ましい。
【手続補正９】
【補正対象書類名】明細書
【補正対象項目名】００２７
【補正方法】変更
【補正の内容】
【００２７】
本発明において、温熱発生又は冷却体を温熱発生体として用いる場合には、温熱発生又は冷却体が安全カバー体で包被されているものが、以下に述べる理由より望ましい。
【手続補正１０】
【補正対象書類名】明細書
【補正対象項目名】００３８
【補正方法】変更
【補正の内容】
【００３８】
又、「保型機能」とは、本発明で用いられる温熱発生又は冷却体の型くずれを防止する機能のことをいい、更に詳しくは、後述する吸水性ポリマーを化学的に架橋して含水ゲルの保型性を向上したり、或いは物理的に含水ゲルの流動性を制御したり、包材の変形を制御したりして、前記温熱発生又は冷却体の保型性の向上を図り得る機能・性質のことをいう。
【手続補正１１】
【補正対象書類名】明細書
【補正対象項目名】００４１
【補正方法】変更
【補正の内容】
【００４１】
そして、本発明においてこの機能性物質としては、遠赤外線を放射する「遠赤外線放射機能」及び／又は温熱発生又は冷却体の型くずれ等を防止する「保型機能」を有する材料・素材であれば特に限定されるものではないが、この機能性物質としては、遠赤外線領域近辺の波長範囲を発現する電磁波を放射したり、吸水性ポリマーを化学的に架橋して含水ゲルの保型性を調節したり、或いは物理的に含水ゲルの流動性を制御したり、袋体の変形を防止したりして、温熱発生又は冷却体の保型性の向上を図るものであれば特に限定されるものではないが、具体的には、例えばカオリン、ベンナイト、亜鉛華、二酸化チタン等の酸化チタン、タルク、塩化アルミニウム、硫酸アルミニウム、硝酸アルミニウム、水酸化アルミニウム、カリミョーバン、球状セルロース等の有機球状体、ポリブテン、ポリイソブチレン、アセトアルデヒド、グルタルアルデヒド、グリオキザール、ジアルデヒドデンプン、ジメチルケトン等の化学的に吸水ポリマーを架橋する架橋剤や物理的な増粘剤の他、遠赤外線を放射する機能性セラミックなどが挙げられるのであり、これは１種ないし２種以上を併用して用いることができる。
【手続補正１２】
【補正対象書類名】明細書
【補正対象項目名】００５１
【補正方法】変更
【補正の内容】
【００５１】
本発明の温熱座布団は、前述した温熱発生又は冷却体を保温カバー体に着脱自在に収納してなるものであるが、この保温カバー体としては特別のものを用いる必要はなく、特に限定されるものではないが、具体的には、例えば後述する公知の天然繊維或いは人造繊維からなる布体を保温カバー体として形成したものや、保温カバー体として市販されているもの等を好適に用いることができる。この布体としては、キルト地、不織布、織物、織布又は編み物等が挙げられるのであり、保温カバー体はこれらの布体で形成された袋状のものが挙げられるが、特に、保温性が極めて高いキルト地で形成された袋状のものが望ましい。
【手続補正１３】
【補正対象書類名】明細書
【補正対象項目名】００５２
【補正方法】変更
【補正の内容】
【００５２】
ところで、本発明の温熱又は冷却座布団としては、一の温熱発生又は冷却体を保温カバー体に挿入したものより、二以上の複数の温熱発生又は冷却体を保温カバー体に着脱自在に収納したものが好ましい。
【手続補正１４】
【補正対象書類名】明細書
【補正対象項目名】００５３
【補正方法】変更
【補正の内容】
【００５３】
この理由としては、本発明の温熱又は冷却座布団を使用者の好みに応じて容易にその形状や厚さを変化させることができるようにするためであり、例えば保温カバー体の中心線を挟んで、その左右に二つの温熱発生体を並列して並べた温熱又は冷却座布団は、前記中心線で容易に折り曲げて当該座布団の厚みを変化させることができるのであり、更に、複数の温熱発生又は冷却体を着脱自在に収納したものにあっては、一層複雑な厚さや形状に容易に変化させることができるのである。
【手続補正１５】
【補正対象書類名】明細書
【補正対象項目名】００５４
【補正方法】変更
【補正の内容】
【００５４】
又、本発明においては、温熱発生又は冷却体のみを保温カバー体に着脱自在に収納したものより、温熱発生又は冷却体と共にクッション材を保温カバー体に着脱自在に収納したものが好ましい。
【手続補正１６】
【補正対象書類名】明細書
【補正対象項目名】００５５
【補正方法】変更
【補正の内容】
【００５５】
この理由としては、本発明の温熱又は冷却座布団を使用者の好みに応じて使用感や柔軟性を変化させ、温熱又は冷却座布団のバリエーションを豊富にするためであり、例えば、クッション材と温熱発生又は冷却体を重ねて保温カバー体に着脱自在に収納したものは、温熱発生又は冷却体からの温熱に加えて、種々のクッション材により好みの柔軟性を得ることができるのであり、又、クッション材の任意の部位に穴を設け、当該穴に温熱発生又は冷却体をはめ込んで保温カバー体に着脱自在に収納したものは、温熱を付与したい部位に対して温熱発生又は冷却体からの温熱をピンポイントで与えることができるのである。
【手続補正１７】
【補正対象書類名】明細書
【補正対象項目名】００５８
【補正方法】変更
【補正の内容】
【００５８】
ところで、本発明で用いられる温熱発生又は冷却体は、使用感や風合いを向上させたり、前記袋体を形成するフィルム・シート材料を補強する目的で、当該温熱発生又は冷却体における袋体の表面には、編み物、織物、織布又は不織布等の布体を積層することが望ましい。
【手続補正１８】
【補正対象書類名】明細書
【補正対象項目名】００６０
【補正方法】変更
【補正の内容】
【００６０】
ところで、本発明の温熱又は冷却座布団は主として脚部や臀部等の適用部位に対して好適に温熱を付与するために使用されるものであるが、夏の暑い時期等においては、逆に温熱発生又は冷却体を冷蔵庫等で冷却して、脚部や臀部等の適用部位を冷却するために使用することもできるのである。
【手続補正１９】
【補正対象書類名】明細書
【補正対象項目名】００６５
【補正方法】変更
【補正の内容】
【００６５】
（ｃ）温熱発生又は冷却体
前記（ａ）において得られた含水ゲル１０００ｇを、前記（ｂ）の袋体に、空気を抜きながら注入すると共に、当該注入口を熱融着して封入することにより温熱発生又は冷却体（均した状態の厚さ約２．５ｃｍ）を得た。
【手続補正２０】
【補正対象書類名】明細書
【補正対象項目名】００６６
【補正方法】変更
【補正の内容】
【００６６】
（ｄ）温熱発生又は冷却体の安全カバー体による包被
前記（ｃ）において得られた温熱発生又は冷却体を、ポリエステル製の安全カバー体（正方形 縦４７．５ｃｍ、横４７．５ｃｍ）に着脱自在に包被、収納することにより、安全カバー体で包被された温熱発生又は冷却体を得た。
【手続補正２１】
【補正対象書類名】明細書
【補正対象項目名】００６７
【補正方法】変更
【補正の内容】
【００６７】
（ｅ）温熱又は冷却座布団
前記（ｄ）において得られた温熱発生又は冷却体を、キルト地（布体）で形成された保温カバー体（正方形 縦５０ｃｍ、横５０ｃｍ）に着脱自在に収納することにより、本発明の温熱発生又は冷却体を得た。
【手続補正２２】
【補正対象書類名】明細書
【補正対象項目名】００７０
【補正方法】変更
【補正の内容】
【００７０】
（ウ）温熱発生又は冷却体
前記（ア）において得られた含水ゲル６００ｇを、前記（イ）の袋体に、空気を抜きながら注入すると共に、当該注入口を熱融着して封入することにより温熱発生又は冷却体（均した状態の厚さ約３ｃｍ）を得た後、この温熱発生又は冷却体をポリエステル製の安全カバー体に着脱自在に包被、収納することにより、安全カバー体で包被された温熱発生又は冷却体を得た。
【手続補正２３】
【補正対象書類名】明細書
【補正対象項目名】００７１
【補正方法】変更
【補正の内容】
【００７１】
（エ）クッション材
スポンジ性のクッション材（正方形 縦４５ｃｍ、横４５ｃｍ、厚さ５ｃｍ）を用い、前記（ウ）の温熱発生又は冷却体を設置すべく、その中心に縦２６ｃｍ、横２６ｃｍの切り欠き凹部（深さ約２ｃｍ）を設けた。
【手続補正２４】
【補正対象書類名】明細書
【補正対象項目名】００７２
【補正方法】変更
【補正の内容】
【００７２】
（オ）温熱又は冷却座布団
前記（ウ）において得られた温熱発生又は冷却体を、（エ）のクッション材に設けた切り欠き凹部にはめ込み、これを綿１００％の布体からなる保温カバー体（正方形縦５０ｃｍ、横５０ｃｍ）に着脱自在に収納することにより、本発明の温熱発生又は冷却体を得た。
【手続補正２５】
【補正対象書類名】明細書
【補正対象項目名】００７５
【補正方法】変更
【補正の内容】
【００７５】
なお、試験条件は、実施例１の温熱又は冷却座布団においては５００Ｗの電子レンジで４．５分間加熱したものを、実施例２の温熱又は冷却座布団においては、５００Ｗの電子レンジで４分加熱したものを用いた。比較例のものは加熱処理を行わなかった。
【手続補正２６】
【補正対象書類名】明細書
【補正対象項目名】００７７
【補正方法】変更
【補正の内容】
【００７７】
試験後、５人の被験者に各座布団の使用感等に関するアンケート調査をしたところ、実施例１及び２の温熱又は冷却座布団はいずれのものにおいても５人全員が心地よい使用感及び疼痛の緩和を認め、特に実施例２の温熱又は冷却座布団においては、温熱発生又は冷却体からの心地よい温熱に加えてスポンジ性のクッション材により、一層良好な使用感が得られることを認めたのに対し、比較例のものにおいては、疼痛の緩和を認めたものはいなかった。
【手続補正２７】
【補正対象書類名】明細書
【補正対象項目名】００７８
【補正方法】変更
【補正の内容】
【００７８】
ところで、実施例１及び２の温熱又は冷却座布団はいずれのものも７〜８時間の温熱（４１．７〜３８．０℃）が持続することが認められた。
【手続補正２８】
【補正対象書類名】明細書
【補正対象項目名】００７９
【補正方法】変更
【補正の内容】
【００７９】
【効果】本発明は、前記構成を有し、水及び吸水性ポリマーを必須構成成分とする含水ゲルを袋体に封入してなる温熱発生又は冷却体を用い、これを保温カバー体内に着脱自在に収納することにより、以下に述べる特別顕著な効果を奏するのである。
【手続補正２９】
【補正対象書類名】明細書
【補正対象項目名】００８０
【補正方法】変更
【補正の内容】
【００８０】
即ち、前記温熱又は冷却座布団における水及び吸水性ポリマーを必須構成成分とする含水ゲルを袋体に封入してなる温熱発生又は冷却体は、柔軟で適度なクッション性があるばかりか、電子レンジでの加熱時間を調節するだけで所望の温熱を好適に発生することができるのであり、従って、この温熱発生又は冷却体を保温カバー体に着脱自在に収納してなる温熱又は冷却座布団は、冬期の使用においても温かく、取り扱い性及び使用感が良好になる効果などのを発現するのである。
【手続補正３０】
【補正対象書類名】明細書
【補正対象項目名】００８１
【補正方法】変更
【補正の内容】
【００８１】
又、本発明において、このように構成してなる温熱又は冷却座布団は、使用者の脚部や腰部或いは臀部等の主に人体の下半身における適用部位を好適に暖めることができる結果、当該適用部位の血行循環を促進して、代謝の改善を実現することにより、関節痛、神経痛、リューマチ或いは痔等による慢性疼痛の痛みを除去或いは緩和させることができるなどの効果も発現するのである。
【手続補正３１】
【補正対象書類名】明細書
【補正対象項目名】００８２
【補正方法】変更
【補正の内容】
【００８２】
更に、本発明の温熱又は冷却座布団においては、用いられている温熱発生又は冷却体が、水及び吸水ポリマーを主成分とするものであるため、その温度の調節が至極容易である上、温熱の伝達が穏やかで低温火傷を生じ難く、この結果、安全性が至極向上するなどの効果を奏するのである。